(57)【要約】【課題】水洗トイレのロータンク付き手洗い部に載置することにより、薬液タンク内の薬液をロータンク内に簡便な機構で混入させることができるが、薬液タンク内の薬液が次第に希釈されていく薬液吐出容器において、その薬液の使用を終了すべき時期が的確にわかるようにする。【解決手段】薬液Ａを収容する薬液タンク１、及び薬液タンク１の下方に設けられた薬液吐出ノズル４からなり、水洗トイレのロータンクの手洗い部に載置され、薬液吐出ノズル４の先端開口部５が手洗い部２０に供給された水に洗われ、薬液吐出ノズル４を通して薬液タンク１から薬液Ａが吐出されると共に薬液タンク１内に水が入り、薬液Ａが希釈されていく薬液吐出容器１００Ａにおいて、薬液タンク１を透明又は半透明材料から形成し、薬液タンク１内の薬液Ａが水で所定の割合に希釈されたときの薬液タンク１の外観色を少なくとも一部に有する着色部材を設ける。【選択図】    図１
2005016284.tif 000002
【特許請求の範囲】
【請求項１】
薬液を収容する薬液タンク、及び薬液タンクの下方に設けられた薬液吐出ノズルからなり、水洗トイレのロータンクの手洗い部に載置され、薬液吐出ノズルの先端開口部が手洗い部に供給された水に洗われ、薬液吐出ノズルを通して薬液タンクから薬液が吐出されると共に薬液タンク内に水が入り、薬液が水で希釈されていく薬液吐出容器であって、
薬液タンクが透明又は半透明材料から形成され、
薬液タンク内の薬液が水で所定の割合に希釈されたときの薬液タンクの外観色を、少なくとも一部に有する着色部材が設けられている薬液吐出容器。
【請求項２】
着色部材が、半透明又は不透明材料からなる請求項１記載の薬液吐出容器。
【請求項３】
着色部材が、薬液タンク内の薬液が水で希釈される前の薬液タンクの外観色領域と、所定の割合に希釈されたときの薬液タンクの外観色領域を有する請求項１又は２記載の薬液吐出容器。
【請求項４】
着色部材が、薬液タンク内の薬液が水で希釈される前の薬液タンクの外観色領域と、所定の割合に希釈されたときの薬液タンクの外観色領域と、その中間色の領域を有する請求項１又は２記載の薬液吐出容器。
【請求項５】
着色部材が、薬液タンクにカランからの水が直接的にあたることを防止する天板である請求項１記載の薬液吐出容器。
【請求項６】
着色部材が、薬液吐出ノズルと一体に形成された、薬液タンクの底部開口部に取り付けられるキャップである請求項１記載の薬液吐出容器。
【請求項７】
請求項１〜６のいずれかに記載の薬液吐出容器の薬液タンクに、有色のトイレ洗浄液が充填されてなるトイレ洗浄用品。
【発明の詳細な説明】
【技術分野】
【０００１】
本発明は、水洗トイレの手洗い付きロータンクの手洗い部に載置し、手洗い部の上方のカランから給水により、ロータンク内に薬液（芳香剤、洗浄剤、殺菌剤等）を吐出する薬液吐出容器に関する。
【背景技術】
【０００２】
水洗トイレの手洗い付きロータンクの手洗い部に載置し、手洗い部の上方のカランから供給される水に薬液（芳香剤、洗浄剤、殺菌剤等）を混合するために用いる薬液吐出容器として、特許文献１に記載されている水洗トイレ用薬剤供給具が知られている。この薬剤供給具は、液状の薬剤を収容する薬液タンク（薬剤容器）の底部に薬剤の導出孔を設け、その導出孔から薬剤を含浸体に導出して含浸させると共に、その含浸体が、カランから手洗い部に供給された水の流れに晒されるようにし、含浸体に含まれていた薬剤が水に溶解し、ロータンク内に流下するようにしたものである。
【０００３】
【特許文献１】特開２００１−３４２６６６号
【発明の開示】
【発明が解決しようとする課題】
【０００４】
上述の薬剤供給具は構造的に複雑であり、製造コストが高くつく。これに対し、より単純な機構のものとしては、図７（ａ）に示すように、薬液Ａを収容する薬液タンク１と薬液タンク１の底部開口部２に取り付けたキャップ３からなり、キャップ３に薬液吐出ノズル４と足６を設けた薬液吐出容器１００ｘが考えられる。薬液吐出ノズル４の先端開口部５には、薬液Ａが、表面張力と薬液タンク１内が弱い負圧状態になることにより保持される。
【０００５】
図７（ｂ）に示すように、この薬液吐出容器１００ｘを、ロータンクの手洗い部２０の吸水口２１上に載置し、水洗トイレの水をフラッシュさせることによりカランから手洗い部２０に矢印のように水Ｗが供給されると、その水Ｗは薬液Ａを保持した薬液吐出ノズル４を洗うようにしてロータンク内に流下するので、これにより薬液Ａがロータンク内に混入する。また、カランからの給水が止まった後においても、給水時に比して薬液タンク内の温度が上がり、ヘッドスペースが膨張することによって薬液Ａが吐出され、ロータンク内に混入する場合もある。したがって、この薬液吐出容器１００ｘによれば、単純な機構で薬液Ａをロータンク内に混入させることが可能となる。
【０００６】
薬液タンク１からロータンク内へ供給された薬液Ａの量に応じて、薬液吐出ノズル４の先端開口部５に付着していた薬液Ａの希釈液、水又は空気がその先端開口部５から直ちに薬液タンク１内に入るので、薬液吐出ノズル４の先端開口部５に薬液が保持されていた状態に戻る。以降、カランからの給水の度にこの作用が繰り返され、薬液Ａがロータンク内に混入する。
【０００７】
しかしながら、この薬液吐出容器１００ｘによれば、薬液タンク１内に薬液Ａの希釈液や水が混入するために、薬液吐出容器１００ｘの使用を重ねていくと、薬液タンク１内の薬液が次第に希釈され、十分な薬効をもたない希釈液が残る場合があり、気温と水温の差によっては、見かけ上、薬液タンク１の薬液量が減少することなく、薬液Ａの希釈だけが進む場合もある。そのため、十分な薬効のない薬液吐出容器１００ｘを使用し続けてしまうという問題が生じる。
【０００８】
また、薬液タンクに充填する薬液を青、緑等に着色し、薬液の希釈の指標とすることも考えられるが、薬液タンク内の薬液の色は、薬液が当初の５％程度まで希釈されても着色されて見えるため、単に薬液を着色しても、薬液タンク１内の残液が十分な薬効を有するものであるか否かを判断することはできない。
【０００９】
これに対し、本発明は、水洗トイレのロータンク付き手洗い部に載置することにより、薬液タンク内の薬液をロータンク内に簡便な機構で混入させることができるが、薬液タンク内の薬液が次第に希釈されていく薬液吐出容器において、薬液の使用を終了すべき時期が的確にわかるようにすることを目的とする。
【課題を解決するための手段】
【００１０】
本発明者らは、水洗トイレのロータンク付き手洗い部に載置する簡便な機構の薬液吐出容器において、薬液タンク内で希釈されることにより変化する薬液の色を薬液タンク外から観察できるように、薬液タンクを透明又は半透明材料から形成し、かつ、薬液の使用を終了すべき時期の薬液タンクの外観色を少なくとも一部に有する着色部材を薬液吐出容器に付帯させると、その着色部材の色と薬液タンクの外観色との対比により容易に薬液の使用を終了すべき時期がわかることを見出した。
【００１１】
即ち、本発明は、薬液を収容する薬液タンク、及び薬液タンクの下方に設けられた薬液吐出ノズルからなり、水洗トイレのロータンクの手洗い部に載置され、薬液吐出ノズルの先端開口部が手洗い部に供給された水に洗われ、薬液吐出ノズルを通して薬液タンクから薬液が吐出されると共に薬液タンク内に水が入り、薬液が水で希釈されていく薬液吐出容器であって、
薬液タンクが透明又は半透明材料から形成され、
薬液タンク内の薬液が水で所定の割合に希釈されたときの薬液タンクの外観色を、少なくとも一部に有する着色部材が設けられている薬液吐出容器を提供する。
【００１２】
また、本発明は、上述の薬液吐出容器の薬液タンクに、有色のトイレ洗浄液が充填されてなるトイレ洗浄用品を提供する。
【発明の効果】
【００１３】
本発明によれば、水洗トイレのロータンクの手洗い部に載置することにより、薬液タンク内の薬液をロータンク内に簡便な機構で混入させることができる薬液吐出容器において、薬液タンク内の薬液が次第に十分な薬効をもたない程度にまで希釈されていく場合に、その使用を終了すべき時期を的確に知ることができる。
【発明を実施するための最良の形態】
【００１４】
以下、図面を参照しつつ、本発明を詳細に説明する。なお、各図中、同一符号は同一又は同等の構成要素を表している。
【００１５】
図１は、本発明の一態様の薬液吐出容器１００Ａに薬液Ａを充填したトイレ洗浄用品２００Ａを正面から見た部分切り欠き断面図（ａ）、側面図（ｂ）、上面図（ｃ）及び底面図（ｄ）である。
【００１６】
この薬液吐出容器１００Ａは、薬液タンク１と、薬液タンク１の底部開口部２に取り付けられたキャップ３からなる。
【００１７】
薬液タンク１には、トイレ用芳香剤、洗浄剤、殺菌剤等の薬液Ａが充填されている。この薬液Ａとしては、水道水に含まれる塩素に対して耐性があり、人体に安全な青色、緑色等の着色剤を含有するものが好ましい。また、その着色剤による着色の程度は、薬液Ａがロータンク内に混入される濃度ではその色を視認することができなくても、少なくとも薬液タンク１に充填される濃度では視認することができ、その充填時の色と使用を終了すべき希釈時の色とを目視で区別できる程度とする。
【００１８】
薬液タンク１としては、そこに充填された薬液Ａの色が水で希釈されることにより変化していく様子を薬液タンク１外から観察できるように、透明又は半透明材料から形成されたものを使用する。
【００１９】
キャップ３の底部には薬液吐出ノズル４が該キャップ３と一体に形成されている。この薬液吐出ノズル４の先端開口部５には、薬液Ａが、表面張力と薬液タンク１内が弱い負圧状態になることにより保持される。
【００２０】
キャップ３の底部には、カランから供給された水を薬液吐出ノズル４の方に流し、薬液吐出ノズル４に沿って流下させる水誘導構造の一態様として、薬液吐出ノズル４を中心として放射状に起立した８枚の板状部７がこのキャップ３と一体に設けられている。また、キャップ３には足６が一体的に設けられ、さらに、薬液吐出ノズル４の周囲には、該薬液吐出ノズル４に沿って伸び、その先端が薬液吐出ノズル４の先端開口部５よりも突出した４枚の水量調整板８が設けられている。
【００２１】
この板状部７や水量調整板８は、本発明において必要に応じて設けられる。薬液吐出ノズル４を中心として放射状に板状部７を設けることにより、ロータンクの手洗い部２０の形状、手洗水の水量、水圧、手洗い部２０における薬液吐出容器１００の載置位置等によらず、カランから供給された水を、板状部７に沿わせて薬液吐出ノズル４の方に流し、次いで、薬液吐出ノズル４に沿わせてロータンク内に流下させることができる。また、キャップ３の底面が吸水口２１を塞ぐことが防止されるので、手洗い部２０に水が溢れることを防止できる。
【００２２】
また、水量調整板８を、薬液吐出ノズル４の先端開口部５よりも突出させて設けることにより、薬液吐出ノズル４の先端開口部５にカランからの水が過剰に当たり続け、薬液Ａの過剰吐出が引き起こされることを防止することができる。
【００２３】
なお、水誘導構造や水量調整板８の態様は、上述の例に限らない。例えば、水誘導構造をなす板状部７は、薬液吐出ノズル４を中心として放射状に起立したものである限り、その形状は平板でも曲板でもよい。板状部７の数は、８枚に限らず複数枚とすることができ、４〜１２枚とすることが好ましい。水量調整板８も４枚に限らず複数枚とすることができ、３〜８枚とすることが好ましい。
【００２４】
薬液吐出ノズル４の先端開口部５の孔径の好ましい大きさは、薬液Ａの粘度等に応じて定まる。本発明においては、薬液Ａとして、粘度５〜１０００ｍＰａ・ｓ（２０℃）に調整したものを使用し、先端開口部５の孔径ａを１〜５ｍｍとすることが好ましい。これにより、薬液タンク１から薬液吐出ノズル４の先端にまで薬液Ａを確実に導出し、かつ先端開口部５からの薬液Ａの過度の漏出を防止することができる。
【００２５】
薬液タンク１上には、着脱自在に天板１０が設けられている。この天板１０は、本発明において、カランの水が薬液吐出容器１００Ａの真上から供給される場合に、水が薬液タンク１に直接的に当たることを防止し、それにより、薬液タンク１からの薬液Ａの吐出量を、水温あるいは気温の変動によらず、安定化させるため、必要に応じて設けられる。また、カランから供給された水は天板１０に沿って放射状に流れ、美しい水のベールの外観を呈するので、薬液吐出容器１００Ａの使用感を向上させる点からも好ましい。
【００２６】
この薬液吐出容器１００Ａにおいては、天板１０が、薬液タンク１内の薬液Ａが水で所定の割合に希釈されたときの薬液タンク１の外観色を呈する着色部材として形成されている。このような天板１０の形成方法としては、例えば、まず、当該薬液について十分な薬効を得るために最低限必要とされる薬液濃度を調べ、次いで、その濃度の薬液（例えば、当初の薬液を５％に希釈したもの）を薬液タンク１に充填する。そしてこの薬液を充填した薬液タンク１の外観色に、天板１０を形成する樹脂材料の色を合わせこんでいく。このように天板１０の色調を調整することにより、薬液タンク１の外観色と天板１０の色との対比から、薬液タンク１内の薬液Ａの使用を終了すべき時期を容易に判断することができる。
【００２７】
また、このような判断をいっそう容易に行えるようにするため、天板１０は、該天板１０を通して薬液タンク１を明瞭に透視することのできる透明材料よりも、透視することのできない不透明材料又は適度な隠蔽性の半透明材料から形成することが好ましい。
【００２８】
なお、天板１０の色調の調整方法としては、上述のように天板１０を形成する樹脂材料の色を調整する他、天板１０に所定の色のシールを貼付することも考えられるが、天板１０と別個にシールを形成する分、コスト高となり、また、頻繁にカランからの水に晒されるので、貼付したシールが脱落するおそれがあるため、シールの貼付によらず、天板１０自体を所定の色に形成することが好ましい。
【００２９】
このトイレ洗浄用品２００Ａの使用方法としては、まず、カランからの水で希釈されていない薬液Ａが薬液タンク１に収容されている状態において、トイレ洗浄用品２００Ａを水洗トイレの手洗い付きロータンクの手洗い部２０の吸水口２１上に載置し、薬液吐出ノズル４を吸水口２１に挿入する。この状態で、薬液吐出ノズル４の先端開口部５には、表面張力と薬液タンク１内の弱い負圧により薬液Ａが保持されている。
【００３０】
なお、ロータンクの吸水口２１上にカランが設けられ、薬液タンク１の上方から水が供給される場合について、以下に説明するが、ロータンクの吸水口２１上にはカランがなく、したがって、ロータンクの吸水口２１に薬液吐出ノズル４を挿入した場合に、薬液タンク１の側方のカランから水が供給される場合でも、トイレ洗浄用品２００Ａは使用することができる。
【００３１】
図２に示すように、トイレ洗浄用品２００Ａを手洗い部２０に載置後、水洗トイレの水がフラッシュされ、カランから水が供給されると、水Ｗは、まず、天板１０に沿って放射状に流れ、次いで薬液タンク１の側面に沿って手洗い部２０に流れ込む。手洗い部２０に流れ込んだ水Ｗは、板状部７に沿って薬液吐出ノズル４の方に流れ、薬液吐出ノズル４の先端開口部５を洗うようにしてロータンク内に入る。したがって、先端開口部５に保持されていた薬液Ａが水Ｗでさらわれ、確実にロータンク内に混入する。そして薬液タンク１からロータンク内に混入した薬液の量に応じて、先端開口部５に付着している水、薬液の希釈液又は空気が直ちに薬液タンク１内に入り、薬液吐出ノズル４の先端開口部５には薬液Ａが保持される。
【００３２】
カランからの給水が止まると薬液吐出ノズル４の先端開口部５に保持されている薬液Ａをさらう水の流れがなくなり、この流れによるロータンク内への薬液Ａの吐出も止まる。その後、水温と気温の関係で薬液タンク１のヘッドスペースが膨張した場合には、随時、薬液Ａがロータンク内に吐出される。
【００３３】
以降、カランからの給水によりこの作用が繰り返され、薬液Ａがロータンク内に混入し、次第に薬液タンク１内の薬液が希釈されていく。したがって、図３（ａ）に示すように、当初、薬液タンク１の外観色と、天板１０の色とは明確に区別されたのが、次第に双方の色差がなくなり、ついには同図（ｂ）に示すように、薬液タンク１の外観色と天板１０の色とが殆ど同じになる。この時点で、薬液吐出容器１００Ａの使用者は、薬液Ａが十分な薬効をもたない程度に希釈されたことを知り、その薬液タンク１内の残量の如何に関わらず、その薬液Ａの使用を止めることができる。したがって、この薬液吐出容器１００Ａによれば、十分な薬効のない薬液Ａを使い続けるという事態を防止することができる。
【００３４】
図４は、本発明の異なる態様の薬液吐出容器１００Ｂの上面図である。この薬液吐出容器１００Ｂは、上述の薬液吐出容器１００Ａにおいて、天板１０を、薬液Ａがカランからの水で希釈される前の薬液タンク１の外観色を呈する領域１０ａと、使用を終了すべき程度に薬液Ａが希釈されたときの薬液タンク１の外観色を呈する領域１０ｃから形成したものである。これにより、薬液吐出容器１００Ｂの使用者が、その使用中に、使い始めの薬液タンク１の外観色を明確に覚えていなくても、薬液タンク１の外観色を、随時、薬液Ａが希釈される前の薬液タンク１の外観色（領域１０ａ）や、使用を終了すべき時期の薬液タンク１の外観色（領域１０ｃ）と見比べることにより、薬液Ａの使い始め（同図ａ）に対して使い終わり（同図ｂ）を明確に区別することができ、薬液の使用を終了すべき時期を的確に知ることができる。
図５は、本発明の異なる態様の薬液吐出容器１００Ｃの上面図である。この薬液吐出容器１００Ｃは、上述の薬液吐出容器１００Ａにおいて、天板１０を、薬液Ａがカランからの水で希釈される前の薬液タンク１の外観色を呈する領域１０ａと、使用を終了すべき程度に薬液Ａが希釈されたときの薬液タンク１の外観色を呈する領域１０ｃと、その中間色の領域１０ｂから形成したものである。これにより、薬液吐出容器１００Ｃの使い始め（同図ａ）と、使い終わり（同図ｃ）と、その中間（同図ｂ）の各段階で、薬液タンク１の外観色と天板１０の色との対比がいっそう容易となり、薬液の使用を終了すべき時期を的確に知ることができる。
【００３５】
図６は、さらに異なる本発明の薬液吐出容器１００Ｄの側面図である。この薬液吐出容器１００Ｄは、天板を備えておらず、キャップ３が着色部材として使用され、使用を終了すべき程度に薬液Ａが希釈されたときの薬液タンク１の外観色を呈している。この薬液吐出容器１００Ｄによっても、薬液タンク１の外観色とキャップ３の色の対比により、薬液の使い始め（同図ａ）と使い終わり（同図ｂ）を明確に区別することができ、薬液の使用を終了すべき時期を的確に知ることができる。
【００３６】
このように、本発明の薬液吐出容器において、薬液が水で希釈されたときの薬液タンクの外観色を有する着色部材をどこに設けるかは、その着色部材の色を薬液タンク１の外観色と対比することができる限り、特に制限はない。また、薬液タンク１や薬液吐出ノズル４等の個々の構成部品は、図示した態様に限らず、種々の形状をとることができる。
【実施例】
【００３７】
本発明の薬液吐出容器の使用者が、その着色部材の色と薬液タンクの外観色との対比により、薬液の使用を終了すべき時期を的確に判断できることを次のように確認した。
【００３８】
まず、図１の薬液吐出容器１００Ａ（薬液タンク容量１００ｍＬ、薬液吐出ノズルの先端開口部の径２．０ｍｍ）を作製した。この場合、薬液タンク１は、白色半透明のプラスチック材料から構成した。また、この薬液タンク１に、表１の組成の薬液の５％濃度の希釈液を充填したときの、その薬液タンク１の外観色と天板１０の色とが同色となるように、天板１０を形成するプラスチック材料を調製した。なお、この表１の組成の薬液の５％濃度の希釈液は、薬効の点から使用を終了すべき濃度の希釈液である。、
【００３９】
一方、表１の組成の薬液の２％、４％、５％、６％、８％、１０％濃度の希釈液を調製し、それぞれ上述の薬液タンク１に８０ｇを充填した。
【００４０】
一般の女性消費者７名を被験者とし、これら被験者には、各薬液タンクに充填されている薬液の濃度を知らせることなく、薬液タンク１の外観色と天板１０とが同色であると思われる薬液吐出容器を選択してもらった。その結果、被験者全員が、５％の希釈液を充填したものを選択した。これにより、一般消費者が、薬液タンク１の外観色と天板１０の色との対比により、薬液の使用を終了すべき時期を的確に判断できることが確認できた。
【００４１】
［表１］
薬液組成                                    （単位：重量％）
ポリオキシエチレンラウリルエーテル(*1)    １０
エタノール                                  ５
アシッドブルー１１２                        ０．０１
香料                                        １．５
ヒドロキシエチルセルロース(*2)              ０．３
塩酸、水酸化ナトリウム              薬剤をpH6.5に調整する量
イオン交換水                                バランス        
(*1)花王社、エマルゲン
(*2)ダイセル社
【産業上の利用可能性】
【００４２】
本発明の薬液吐出容器は、水洗トイレの手洗い付きロータンクである限り、手洗い部におけるカランや吸水口の位置等に関わらず、使用することができる。
【図面の簡単な説明】
【００４３】
【図１】本発明のトイレ洗浄用品を正面から見た部分切り欠き断面図（ａ）、側面図（ｂ）、上面図（ｃ）及び底面図（ｄ）である。
【図２】本発明のトイレ洗浄用品をロータンクの手洗い部に載置した状態の断面図である。
【図３】本発明のトイレ洗浄用品において、薬液タンクの外観色の変化を示す上面図である。
【図４】異なる態様の薬液吐出容器において、薬液タンクの外観色の変化を示す上面図である。
【図５】異なる態様の薬液吐出容器において、薬液タンクの外観色の変化を示す上面図である。
【図６】さらに異なる態様の薬液吐出容器において、薬液タンクの外観色の変化を示す側面図である。
【図７】薬液吐出容器の斜視図（ａ）、及びロータンクの手洗い部に載置した薬液吐出容器の断面図（ｂ）である。
【符号の説明】
【００４４】
１  薬液タンク
２  薬液タンクの底部開口部
３  キャップ
４  薬液吐出ノズル
５  先端開口部
１０    天板
２０  手洗い部
２１  吸水口
１００Ａ、１００Ｂ、１００Ｃ、１００Ｄ    薬液吐出容器
２００Ａ  トイレ洗浄用品
Ａ  薬液
Ｗ  水
【図１】
2005016284.tif 000003
【図２】
2005016284.tif 000004
【図３】
2005016284.tif 000005
【図４】
2005016284.tif 000006
【図５】
2005016284.tif 000007
【図６】
2005016284.tif 000008
【図７】
2005016284.tif 000009